(57)【要約】【課題】箱体（コンテナ）６０に収容可能とし、収納製品の寸法や形状が異なる場合においても、収納製品５０を確実に固定することが可能な汎用性の高い汎用内装材を得る。【解決手段】コンテナ内装体１０と、該コンテナ内装体１０に対して着脱自在に装着する十文字状の緩衝材３０とを具備する汎用内装材１であって、前記コンテナ内装体１０は、底面体１１と、該底面体１１の対向位置に連設された側面体１３と、該側面体１３に連結された上面体１５とを有し、各側面体１３及び各上面体１５には底面体１１に対してＬ字状に折曲可能な折曲部１２，１４がそれぞれ形成するとともに、底面体１１の側面体１３が形成されない側に臨む各位置に先端同士が固定可能な一対のベルト部２０（ループ部２１及び連結部２２）を装着して成る。【選択図】  図１
2004224347.tif 000002
【特許請求の範囲】
【請求項１】
コンテナ内装体と、該コンテナ内装体に対して着脱自在装着された緩衝材を具備する汎用内装材であって、
前記コンテナ内装体は、底面体と、該底面体の対向位置に連設された側面体と、該側面体に連結された上面体とを有し、各側面体及び各上面体には底面体に対してＬ字状に折曲可能な折曲部をそれぞれ形成するとともに、底面体の側面体が形成されない側に臨む各位置に先端同士が固定可能な一対のベルト部を装着する一方、
前記緩衝材は十文字状に構成して成る
ことを特徴とする汎用内装材。
【請求項２】
前記ベルト部の底面体への装着は、底面体の一辺より内側位置にベルト部端を固定して成る請求項１に記載の汎用内装材。
【請求項３】
前記ベルト部は、ベルト体両端を底面体に固定して作成するループ部と、該ループ部中央に連結された連結部から成る請求項１に記載の汎用内装材。
【発明の詳細な説明】
【０００１】
【発明の属する技術分野】
本発明は、内部に製品を収納したまま箱体内に挿入するための内装材に関し、特に、収納製品の寸法や形状が変化する場合でも内装材内で確実に固定できる汎用内装材の構成に関する。
【０００２】
【従来の技術】
従来、製品を物流する場合においては、箱体（コンテナ）内に収納する製品を固定するため、その周囲に発泡材料から成り内側が製品形状に嵌合するように形成された内装材を使用することが行われていた。
しかしながら、発泡材料による内装材は、廃棄処理に問題が生じるので、最近では段ボール製の内装材や段ボール製の緩衝部を一体に形成した箱体が提案されている。
【０００３】
段ボール製の緩衝部を一体に形成した箱体は、段ボールの形状や切り込み位置を工夫することで、収納する製品が一体的に形成された緩衝部で固定されるように構成したものである（例えば、特許文献１参照）。
【０００４】
【特許文献１】
特開２００１−４８１６３号公報
【０００５】
【発明が解決しようとする課題】
しかしながら上記構造の内装材及び緩衝部を一体形成した箱体は、収納される製品形状に応じて作製する必要があるため、その製品についてしか使用することができないという問題点があった。
特に、購入後に一旦使用した製品を再度物流下に置いて運搬したいような場合、購入時に製品が入っていた箱体や内装材は既に処分している場合が多いため、新たな箱体を使用しその箱体内で収納製品を確実に固定して運搬することが困難であった。
【０００６】
本発明は上記実情に鑑みてなされたもので、汎用される箱体（コンテナ）に収容可能とし、収納製品の寸法や形状が異なる場合においても、収納製品を確実に固定することが可能な汎用性の高い汎用内装材を提供することを目的としている。
【０００７】
【課題を解決するための手段】
上記目的を達成するため請求項１は、コンテナ内装体１０と、該コンテナ内装体１０に対して着脱自在に装着した緩衝材３０とを具備する汎用内装材１であって、次の構成を含むことを特徴としている。
前記コンテナ内装体１０は、底面体１１と、該底面体１１の対向位置に連設された側面体１３と、該側面体１３に連結された上面体１５とを有し、各側面体１３及び各上面体１５には底面体１１に対してＬ字状に折曲可能な折曲部１２，１４がそれぞれ形成されている。
底面体１１の側面体１３が形成されない側に臨む各位置に先端同士が固定可能な一対のベルト部２０が装着されている。
前記緩衝材３０は十文字状に構成されている。
【０００８】
請求項２は、請求項１に記載の汎用内装材１において、前記ベルト部２０の底面体１１への装着は、底面体１１の一辺１１ａより内側位置にベルト部端を固定して成ることを特徴としている。
【０００９】
請求項３は、請求項１に記載の汎用内装材１において、前記ベルト部２０は、ベルト体両端を底面体１１に固定して作成するループ部２１と、該ループ部２１中央に連結された連結部２２から成ることを特徴としている。
【００１０】
本発明によれば、十文字状の緩衝材３０で収納製品５０を包んだ状態でベルト部２０同士を固定することで、汎用内装材１に対して収納製品５０を確実に固定することができ、収納製品５０が固定された状態の汎用内装材１を箱体（コンテナ）６０に収容して運搬が行われる。
【００１１】
【発明の実施の形態】
本発明の実施の形態の一例としての汎用内装材について、図面を参照しながら説明する。
汎用内装材１は、コンテナ内装体１０と、このコンテナ内装体に対して着脱自在に装着される緩衝材３０とを具備して構成されている。
【００１２】
コンテナ内装体１０は、紙系プレスボードなどの強靭な素材を使用して構成され、汎用される定形の箱体（コンテナ）に嵌合するように収納可能な形状に形成されている。すなわち、定形の箱体の底面より僅かに小さい面積の固体方形状の底面体１１と、この底面体１１の対向位置に連設された側面体１３，１３と、この側面体１３にそれぞれ連結され側面体１３に対して若干幅狭で前記底面体１１の一辺１１ａの略１／２の長さの上面体１５，１５とを有している。
【００１３】
底面体１１と各側面体１３との間には、底面体１１に対して内側に直角に折曲可能な折曲部１２が形成され、各側面体１３及と各上面体１５との間には、側面体に対して内側に直角に折曲可能な折曲部１４が形成されることで、側面体１３及び上面体１５が底面体１１に対してＬ字状に折曲可能なように構成されている。
【００１４】
底面体１１の側面体が形成されない側（一辺１１ａ側）に臨む各位置にベルト部２０が装着されている。このベルト部２０は、平紐状のベルト体の両端を底面体１１に固定して作成するループ部２１と、このループ部２１中央に連結された平紐状の連結部２２から構成されている。各連結部２２の先端には、それぞれマジックテープ片２３の凹部片・凸部片が装着されることで、連結部２２の先端同士が固定可能なように構成されている。ループ部２１の固定側端部は、底面体１１の一辺１１ａより内側位置でかしめピン２５，２５により固定されている。
【００１５】
底面体１１の裏面には、各辺１１ａ，１１ａに沿ってスポンジ等で形成された一対の角柱状の角柱緩衝体２７がそれぞれ固定されている。この角柱緩衝体２７は、マジックテープ片２８を装着して底面体１１との間で着脱自在に形成してもよい。
【００１６】
コンテナ内装体１０に対して着脱自在に装着される緩衝材３０は、ウレタンその他の柔らかい素材で構成され適宜厚さを有する２つの長方状のスポンジ体３１，３２を重ねて固定することで十文字状に形成されている。そして、下側のスポンジ体３１の裏面と底面体１１とにそれぞれマジックテープ３３の凹部片・凸部片が装着されることで、コンテナ内装体１０に対して着脱可能に構成されている。
スポンジ体３１，３２の表面は、図１（ｂ）に示すように、多数の円錐体３５が形成され、スポンジ体３１，３２（緩衝材３０）で包まれた製品について各円錐体３５の頂部で収納製品を支持するようになっている。
【００１７】
次に上述した汎用内装材１の使用方法について、図２を参照しながら説明する。
コンテナ内装体１０に緩衝材３０が固定されている状態で、緩衝体３０中央に収納製品５０を載置し、スポンジ体３１、３２でこれを包み込むようにし、ベルト部２０同士を連結固定することで、ベルト部２０に張力が生じて収納製品５０を前後左右にずれることを防止する。
この状態で、ベルト部２０は底面体１１の内側位置で固定されているため、スポンジ体３１，３２（緩衝材３０）で収納製品を巻き込む形状となり、収納製品５０を確実に固定できる。
【００１８】
定形の箱体（コンテナ）６０に収納製品５０が固定された状態の汎用内装材１を挿入する。汎用内装材１の底面体１１は箱体６０の底面とほぼ同じ大きさであるので、箱体６０の側面に側面体１３及び上面体１５が、箱体６０の底面との間には緩衝体２７が位置するように、汎用内装材１が箱体６０内に嵌合するように挿入されて収納される。
したがって、側面体１３及び上面体１５が箱体６０の側面を補強するとともに、箱体６０の底面側からの衝撃に対しては、緩衝体２７で保護することができる。
【００１９】
また、汎用内装材１のコンテナ内装体１０には折曲部１２，１４が形成されているので、側面体１３及び上面体１５を側面体１１に対してＬ字状に折り曲げて上方より押圧することで緩衝材３０を圧縮させ、緩衝材３０を装着したままで、図３のようにコンパクトに折り畳むことができる。汎用内装材１を折り畳んだ状態（図３）では、展開した状態（図２）に比較して体積を半分にすることができ、図２の箱体６０に対して折り畳んだ汎用内装材１を２個収容することができる。
【００２０】
上記例では、ベルト部２０をループ部２１と連結部２２とで形成したが、ループ部２１を設けることなく、連結部２２の端部が底面体１１の中央位置で一辺１１ａより内側位置にかしめピン２５により直接固定される構成であってもよい。
【００２１】
また、上記例では、ベルト部２０（連結部２２）同士はマジックテープ片２３同士で固定するようにしたが、バックルなどの連結手段で固定する構造であってもよい。
【００２２】
また、上記例では、スポンジ体３１，３２の表面に多数の円錐体３５が形成されるように構成したが、他の突起形状若しくは突起形状が形成されていなくともよく、収納製品５０が支持できる構造であればよい。
【００２３】
上述の汎用内装材１を使用することにより、従前のように製品に合った緩衝材を使用することなく製品を確実に保護固定した状態で運搬することが可能となる。
また、汎用内装材１は折り畳むことが可能なので、保管スペースを有効に活用することができる。
【００２４】
【発明の効果】
本発明によれば、十文字状の緩衝材で製品を包んだ状態でベルト部同士を固定することで、汎用内装材に対して製品を確実に固定することができ、製品が固定された状態の汎用内装材を箱体（コンテナ）に収納して運搬を行うことができるので、収納製品の寸法や形状が変化する場合でも確実に固定することができる。
【図面の簡単な説明】
【図１】本発明に係る汎用内装材を示すもので（ａ）は構成斜視説明図、（ｂ）は緩衝材の一部側面説明図である。
【図２】収納製品が固定された汎用内装材を箱体に挿入する状態を示す側面説明図である。
【図３】汎用内装材の折り畳んだ状態を示す側面説明図である。
【符号の説明】
１…汎用内装材、
１０…コンテナ内装体、
１１…底面板、  １２…折曲部、  １３…側面板、
１４…折曲部、  １５…上面板、
２０…ベルト部、  ２１…ループ部、  ２２…連結部、
２５…かしめピン、  ２７…角柱緩衝体、
３０…緩衝材、  ３１，３２…スポンジ体、
３３…マジックテープ片、
５０…収納製品、  ６０…箱体
【図１】
2004224347.tif 000003
【図２】
2004224347.tif 000004
【図３】
2004224347.tif 000005